(57)【要約】【課題】  この発明は、少なくとも一つのサービス部品、有利には、充填ソケット（２，３）と、このサービス部品の周りを少なくとも部分的に取り囲む受け皿（４）とを有する、集合体、特に駆動機器を備えた車両での動作媒体の充填と保守の両方又は一方を行うためのサービスユニット（１）に関する。【解決手段】  動作媒体の補充又は保守を快適に行うために、受け皿（４）には、零れ防止カバー（１７）が取り付けられており、この零れ防止カバー（１７）は、停止位置（ＲＳ）から、受け皿（４）から少なくとも部分的に突き出た保護位置（ＳＴ）に移動可能であるものと規定する。【選択図】  図１
2006315672.tif 000002
【特許請求の範囲】
【請求項１】
少なくとも一つのサービス部品、有利には、充填ソケット（２，３）と、このサービス部品の周りを少なくとも部分的に取り囲む受け皿（４）とを有する、集合体、特に駆動機器を備えた車両での動作媒体の充填と保守の両方又は一方を行うためのサービスユニット（１）において、
受け皿（４）には、零れ防止カバー（１７）が取り付けられており、この零れ防止カバー（１７）は、停止位置（ＲＳ）から、受け皿（４）から少なくとも部分的に突き出た保護位置（ＳＴ）に移動可能であることを特徴とするサービスユニット。
【請求項２】
零れ防止カバー（１７）は、少なくとも部分的に折り広げることによって、停止位置（ＲＳ）から保護位置（ＳＴ）に移動可能であることを特徴とする請求項１に記載のサービスユニット。
【請求項３】
零れ防止カバー（１７）は、受け皿（４）と連結するための固定部分（１８）と、折り畳み部分（３６）とを有し、この折り畳み部分（３６）が、停止位置（ＲＳ）から保護位置（ＳＴ）に移動可能であることを特徴とする請求項１又は２に記載のサービスユニット。
【請求項４】
固定部分（１８）と折り畳み部分（３６）が、一体化して実現されていることを特徴とする請求項３に記載のサービスユニット。
【請求項５】
零れ防止カバー（１７）が、弾力性の有る材料から製作されることを特徴とする請求項１から４までのいずれか一つに記載のサービスユニット。
【請求項６】
固定部分（１８）が、零れ防止カバー（１７）を受け皿（４）に固定するための連結手段（２２）を備えていることを特徴とする請求項１から５までのいずれか一つに記載のサービスユニット。
【請求項７】
連結手段（２２）が、少なくとも一つの後方把持部品（２５）を備えており、この部品が、穴（２６）に嵌入して受け皿（４）を把持することを特徴とする請求項６に記載のサービスユニット。
【請求項８】
連結手段（２２）が、零れ防止カバー（１７）と一体化して実現されていることを特徴とする請求項６又は７に記載のサービスユニット。
【請求項９】
零れ防止カバー（１７）、特に折り畳み部分（３６）が、基礎部（３７）と側壁部（２８，３９）とを備えていることを特徴とする請求項１から８までのいずれか一つに記載のサービスユニット。
【請求項１０】
折り畳み部分（３６）が、折り線（４０）を介して、固定部分（１８）と連結されていることを特徴とする請求項１から９までのいずれか一つに記載のサービスユニット。
【請求項１１】
各側壁部（３８，３９）が、折り線（４０）を介して、基礎部（３７）と連結されていることを特徴とする請求項７に記載のサービスユニット。
【請求項１２】
各側壁部（３８，３９）が、二つの部分壁面（４０，４１）を有し、これらの壁面が、折り線（４０）を介して互いに連結されていることを特徴とする請求項７又は８に記載のサービスユニット。
【請求項１３】
各側壁部（３８，３９）が、それぞれ折り線（４０）を介して、基礎部（３７）及び固定部分（１８）と連結されていることを特徴とする請求項１から１２までのいずれか一つに記載のサービスユニット。
【請求項１４】
固定部分（１８）が、有利には、密閉した形で、受け皿（４）の内側周縁部の輪郭（９）上に合わされていることを特徴とする請求項１から１３までのいずれか一つに記載のサービスユニット。
【請求項１５】
固定部分（１８）が、底部（１９）と、この底部から出ている二つの側方のアーム部（２０，２１）とを有することを特徴とする請求項１から１４までのいずれか一つに記載のサービスユニット。
【請求項１６】
折り重ね部分（３６）の基礎部（３７）が、固定部分（１８）の底部（１９）と連結されており、折り重ね部分（３６）の側壁部（３８，３９）の各々が、この固定部分に属するアーム部（２０，２１）と連結されていることを特徴とする請求項１から１５までのいずれか一つに記載のサービスユニット。
【請求項１７】
連結手段（２２）が、複数の後方把持部品（２５）を備えており、これらの部品の中の少なくとも一つが、それぞれ固定部分（１８）の底部（１９）及びアーム部（２０，２１）上に配置されていることを特徴とする請求項１から１６までのいずれか一つに記載のサービスユニット。
【請求項１８】
受け皿（４）を閉鎖する蓋（４３）が、取り外し可能であることを特徴とする請求項１から１７までのいずれか一つに記載のサービスユニット。
【請求項１９】
零れ防止カバー（１７）が、蓋（４３）を取り外した際に、特に、折り広がることによって、自動的に停止位置（ＲＳ）から保護位置（ＳＴ）に移動可能であることを特徴とする請求項１から１８までのいずれか一つに記載のサービスユニット。
【請求項２０】
受け皿（４）が、車両内において、ほぼ垂直に配置されていることと、零れ防止カバー（１７）が、受け皿（４）の下方の周縁部分（１３）に組み込まれていることとを特徴とする請求項１から１９までのいずれか一つに記載のサービスユニット。
【発明の詳細な説明】
【技術分野】
【０００１】
この発明は、請求項１の上位概念にもとづく動作媒体補充用サービスユニットに関する。
【背景技術】
【０００２】
集合体としての駆動機器を備えた車両において、この種の動作媒体の補充又は保守／制御を行うためのサービスユニットは、特許文献１から知ることができる。このサービスユニットは、有利には、車両内、例えば、トランク内に配置されており、動作媒体を補充するために、例えば、駆動機器の冷却液用の、サービス部品としての充填ソケットと、この充填ソケットの周りを少なくとも部分的に取り囲む受け皿とを備えており、この受け皿は、動作媒体の補充の際に零した液体を受け取るとともに、有利には、排出口を通して流し出す役割を果たしている。
【特許文献１】ドイツ特許出願明細書第１０３５９７６７号
【発明の開示】
【発明が解決しようとする課題】
【０００３】
この発明の課題は、動作媒体の補充又は保守を容易に行うことを可能とする、最初に述べた種類のサービスユニットを提示することである。
【課題を解決するための手段】
【０００４】
この課題は、請求項１に記載した特徴を持つサービスユニットによって解決される。この発明の改善構成は、従属請求項に提示されている。
【０００５】
この発明により主に達成される利点は、このサービスユニットを介して行われる動作媒体の補充の際に、場合によっては零れる、或いは流れ出る液体を、より良好に受け取って、受け皿に排出することができることにあると考える。更に、場合によっては、このサービスユニットから流れ出る蒸気を、受け皿又は零れ防止カバーで液化させて排出することができる。このサービスユニットが、例えば、計量棒、特に油面計に組み込まれている場合、計量棒のレベル制御時に滴り落ちる液体を、この零れ防止カバーによって受け取ることができる。そのため、この受け皿又はサービスユニットの周りを取り囲む車両領域は、簡単な手法で汚染から保護されることとなる。特に、この発明によるサービスユニットは、自動車で使用することができ、その場合、このサービスユニットは、車両室内又はトランク内に配置される。そうすることによって、大抵の場合に、このサービスユニットの周りを取り囲む自動車の内装部分の汚染を防止することができる。
【０００６】
この発明の請求項２に記載した特徴を持つ改善構成にもとづき、この零れ防止カバーが、保護位置に折り広げられることによって、大きな面積範囲を覆うことができるようにすることは有利である。
【０００７】
請求項３に記載した特徴により、この零れ防止カバーが、その固定部分により、受け皿と固く連結することができ、その結果、零れ防止カバーの折り畳み部分だけが、保護位置に折り広げられることによって、移動可能となる。
【０００８】
この零れ防止カバーを簡単に作ることは、請求項４の特徴により実現される。
【０００９】
請求項５に提示された改善構成にもとづき、この折り畳み部分を備えた零れ防止カバーを、特に簡単な手法で実現することができる。
【００１０】
この零れ防止カバーを受け皿に簡単に固定する手法は、請求項７に提示されている。連結手段を後方把持部品として構成することによって、零れ防止カバーを受け皿に吊るす、留める、或いは結び付けることができる。更に、この後方把持部品によって、受け皿の穴を密閉している。
【００１１】
請求項８に提示した実施例により、この連結手段を、特に後方把持部品として構成することによって、特に簡単な手法で受け皿と連結することができる。
【００１２】
請求項９に挙げた変化形態により、側方壁面を備えているため、汚染する又は流れ出る液体、或いは速く液化する蒸気が、この零れ防止カバーによって、横方向には流れ去ることができないので、この零れ防止カバーを用いて、より良好な保護を実現することができる。
【００１３】
請求項１０〜１３に挙げた変化形態にもとづき、この零れ防止カバーを、有利な手法で折り広げるとともに、再び折り畳んで停止位置に移動することができる。これらの折り線は、例えば、零れ防止カバーの材料内の弱体化させた部分によって実現することができ、その結果薄い膜の蝶番が形成される。
【００１４】
請求項１４に提示した実施例にもとづき、固定部分を、受け皿の内側周縁部の輪郭における広い領域に渡って延ばすとともに、更に、この内側周縁部の輪郭上に密閉する形で置くことができる。
【００１５】
受け皿の相応の構成に関して、固定部分は、請求項１５にもとづき、有利な手法で実現される。それによると、受け皿は、楕円形、角ばった、又はそれらと同様の周縁部の輪郭を有し、この輪郭上に沿って、固定部分の底部と側方のアーム部が、部分的に延びる。
【００１６】
請求項１６に提示した特徴により、零れ防止カバーを、その保護位置において、皿状に実現するが、簡単に停止位置に折り畳むことができる形の零れ防止カバーの実施例を実現することができる。
【００１７】
この零れ防止カバーを、受け皿の内側周縁部の輪郭に沿って確実に固定するために、請求項１７に提示された通り、複数の後方把持部品を、連結手段として配備する。それらによって、受け皿と零れ防止カバー間の密閉が、一層最適化される。
【００１８】
請求項１８で規定した蓋を用いて、サービスユニット又は受け皿を覆うことが可能である。
【００１９】
より高い操作の快適性は、請求項１９に提示した実施例により得られ、それによると、零れ防止カバーを自動的に停止位置から保護位置に折り広げることができる。
【００２０】
車両内での特に有利な配置は、場合によっては、視覚的に露出した位置においても、請求項２０に提示した実施例により実現することができる。
【発明を実施するための最良の形態】
【００２１】
以下においては、図面と関連して、実施例にもとづき、この発明をより詳しく説明する。
【００２２】
図１は、ここでは詳しく図示していない自動車の少なくとも一つの集合体、特に（図示していない）駆動機器用の少なくとも一つの動作媒体に関して、動作媒体の補充、保守、制御の中の一つ以上を行うためのサービスユニット１を図示している。このような動作媒体は特に液体、例えば、燃料、冷却剤、潤滑油、油圧油、パワーステアリング油、エアコン又はそれと同等のもの用の冷媒などとすることができる。この発明では、サービスユニット１は、この集合体における動作媒体の補充、保守又は制御を行うために、少なくとも一つのサービス部品を有する。そのために、このサービス部品は、計量棒、特に油面計量棒、検査用穴、（場合によっては、取り外し可能な）液面計ガラス、接続部、特別なバルブ（場合によっては、逃がしバルブ又は充填用バルブ）、充填ソケット２、或いはこれらと同等のものとして実現することができる。何れにせよ、このサービスユニットを介して、集合体の動作媒体を排出、充填、制御の中の一つ以上を行うことができる。図示した実施例では、サービスユニット１には、充填ソケット２及び３として実現された二つのサービス部品が配備されており、それらの中で、特に、充填ソケット２は、駆動機器の潤滑剤を注入する役割を、充填ソケット３は、駆動機器用の冷媒を充填する役割を果たしている。当然のことながら、別のサービス部品をサービスユニット１に組み込むことができる。
【００２３】
少なくとも一つの充填ソケット２又は３、或いはサービス部品は、受け皿４によって、少なくとも部分的に周りを取り囲まれており、この受け皿は、排出口６を配備することができる皿底部５を有し、この排出口は、皿底部５自身内、皿底部５と皿壁面８の間の遷移領域７内、皿壁面８自身内のどれかに形成することができる。この皿底部５からは、周りを取り囲む、ほぼ垂直な皿壁面８が出ており、この皿壁面は、例えば、楕円形、円形、長方形、場合によっては角を丸くした形状、或いはそれらと同様の形状に実現した内側周縁部の輪郭９を有する。しかし、有利には、受け皿４の皿壁面８の内側の大きさは、皿壁面８が、充填ソケット２，３又はその上に載った閉鎖キャップ１０に対して間隔を空けて置ける程度の大きさである。当然のことながら、充填ソケット２も、閉鎖キャップ１０を備えることができる。皿壁面８の自由な壁面端部１１を、下方の周縁部分１３と、上方の周縁部分１４と、二つの側方周縁部分１５及び１６とから成る、周りを取り囲む皿周縁部１２に構成することができる。
【００２４】
受け皿４には、少なくとも一つの零れ防止カバー１７が組み込まれており、このカバーは、特に図４に図示した通り、停止位置ＲＳでは、受け皿４の中又はサービスユニット１の中に有り、図１と３から分かる通り、折り広げた、皿周縁部１２から突き出た保護位置ＳＴに移動することができる。広げた、或いは折り広げた保護位置ＳＴでは、零れ防止カバー１７は、皿壁面８の延長部を構成し、その結果拡大された保護領域に渡って、サービス部品を介して動作媒体を補充する際に零れる液体、或いはサービス部品を介した保守又は制御の際にサービス部品から流れ出る液体又は流出して、速く液化する蒸気を受け取ることができる。零れ防止カバー１７を停止位置ＲＳから保護位置ＳＴに移動可能とするために、このカバーは、前に言及した通り、折り畳んだ停止位置ＲＳから折り広げた保護位置ＳＴに移動させることができる。特に図１から分かる通り、零れ防止カバー１７は、皿周縁部１２の下方の周縁部分１３に組み込まれるとともに、更に皿壁面８の内側周縁部の輪郭９に合わされており、特に、このカバーは、皿壁面８上に密閉した形で置かれている。受け皿４内には、零れ防止カバー１７の固定部分１８が有る。この固定部分１８は、有利な実施構成では、ほぼＵ字形状に実現されており、そのため下方の周縁部分１３に組み込まれた底部１９を有し、更に、この底部は、側方のアーム部２０及び２１を有し、これらのアーム部は、底部１９から出て、少なくとも部分的に側方の周縁部分１５及び１６に沿って内側に延びている。固定部分１８は、皿底部５にまで、及び遷移領域７内にまで延びるとともに、皿底部５又は皿壁面８上に密閉した形で置くことができる。最適な密閉のために、固定部分１８は、自由な端部の方向に対して先細となって行く領域１８’を備えることができ、この領域は、そのため、図４から分かる通り、シールリップを形成している。
【００２５】
固定部分１８は、図２と３から分かる通り、零れ防止カバー１７を受け皿４に固定するための連結手段２２を備えている。この連結手段２２は、一つ以上の固定部品２３，２４を有し、これらの部品は、後方把持部品２５として構成されており、それぞれ受け皿４内に相応に形成された穴２６と共同して作用するか、或いはこれらの穴２６を嵌入して把持し、受け皿４の外側２７を後方から把持するものである。この又はこれらの固定部品２３は、所謂、きのこ形ピボット２８として実現され、このきのこ形ピボットは、その脚部２９が、各穴２６を嵌入して把持し、そのきのこ状の頭部３０が、外側２７の上に密閉した形で置くことができるものである。固定部品２４は、長く延びたフレーム３１として構成され、これらのフレームは、それぞれきのこ状ピボット２８の脚部２９と同様に、受け皿内の対応する穴を嵌入して把持するフレーム脚部３２を備えている。このフレーム脚部３２には、きのこ状頭部３０と同様に作用するフレーム頭部３３が繋がっており、このフレーム頭部は、受け皿４の外側２７を密閉した形で後方から把持する。更に、連結手段２２は、特に図３から分かる通り、皿周縁部１２に嵌め込むことができるポケット３５として実現された嵌合部分３４も備えている。少なくとも一つの後方把持部品２５と嵌合部分３４の両方又は一方によって、零れ防止カバー１７は、簡単な手法で受け皿４に留めて、吊るして、或いは結び付けて、それによって固定することができる。零れ防止カバー１７を受け皿４に確実に保持するために、連結手段２２の後方把持部品２５は、固定部分１８の底部１９と側方のアーム部２０及び２１に分散して配置される。特に、きのこ状ピボット２８を底部１９に、フレーム３１を側方のアーム部２０及び２１に組み込むものと規定する。
【００２６】
固定部分１８には、零れ防止カバー１７の折り畳み部分３６が繋がっている。この折り畳み部分３６は、保護位置ＳＴにおいて、皿壁面１８から突き出て、そのようにして、零れる、或いは流れ出る動作媒体用の桶形状又は漏斗形状の収容部品を形成している。桶形状に実現するために、この折り畳み部分３６は、基礎部３７と側壁部３８及び３９とを有する。零れ防止カバー１７を停止位置ＲＳから保護位置ＳＴに折り広げるために、折り畳み部分３６は、少なくとも一つの折り線４０を介して、固定部分１８と連結されている。この折り線は、有利な実施構成では、材料の弱体化又は切れ目を入れることによって実現され、その結果折れ線４０上に薄い膜の蝶番が形成される。こうすることによって、折り畳み部分３６は、図４で明らかに分かる通り、保護位置ＳＴを出発点として、受け皿４の方向に畳むことができる。図示した実施例では、折り畳み部分３６は、複数の折り線４０を介して、固定部分と連結されている、即ち、基礎部３７と固定部分１８の間に、それぞれ一つの折り線４０を、側壁部３８及び３９と固定部分１８の間に、それぞれ一つの折り線４０を配備している。そのため、図示した実施例では、基礎部３７と底部１９の間に一つの折り線４０が有り、側壁部３８とアーム部２１の間に一つの折り線４０が有り、そして側壁部３９と固定部分１８のアーム部２０の間に別の折り線４０が有る。更に、折り畳み部分３６は、スペースを節約する折り畳みのために、それ自身を内側に折り畳むことが可能であり、そのために、側壁部３８及び３９と基礎部３７の間に更なる折り線４０を配備している。更に、側壁部３８及び３９は、折り畳み可能であり、その結果側壁部３８及び３９の各々は、少なくとも二つの部分壁面４１及び４２を有し、これらは、それぞれ別の折り線４０を介して互いに連結されている。そのため、特に側壁部３８に関しては、図２から分かる通り、それぞれが折り線４０によって互いに分離された、ほぼ三角形の形状の部分壁面４１及び４２が形成されている。折り畳み部分３６と固定部分１８及び折り畳み部分自体を折り線４０で互いに連結することによって、零れ防止カバー１７を特に簡単な手法で一体化して実現することができ、その場合、特に、零れ防止カバー１７は、弾力性の有る材料から製造するものと規定する。このため、特に、例えば、５０＋／−５のショアーＡの硬度を有するエラストマー、有利には熱可塑性エラストマー（ＴＰＥ）を使用する。このような熱可塑性エラストマーは、例えば、Santoprenne （登録商標）の商品名で入手可能である。
【００２７】
図１と２には、零れ防止カバー１７を、その製造した形状、即ち、零れ防止カバーを折り広げて作った形で図示している。そして、図４に図示した通りの停止位置ＲＳに折り畳まれている零れ防止カバー１７を移動させる場合、このカバーは、弾力性の有る材料を使用していることによって、その保護位置ＳＴの方向に引っ張られて、その結果零れ防止カバー１７は、自動的に折り広げられることとなる。この零れ防止カバー１７が自動的に折り広げられることは、特に、サービスユニット１７が、受け皿４から取り外して、再び取り付けることが可能である、受け皿４を閉鎖する蓋４３を備えている場合に有利である。有利には、この蓋４３は、下方の周縁部分１３に対して平行に、かつこの周縁部分１３の下で、（図示していない）旋回軸に軸支されており、その結果この蓋は、図４に図示した、その閉じた位置ＧＳから、図３に図示した開いた位置ＯＳに旋回させる、或いは開くことができる。そして、この開いた位置ＯＳでは、折り畳み部分３６は、解放されて、その結果この部分は、自動的に保護位置ＳＴに折り広がる、或いは開き、蓋４３を閉じた場合、即ち、開いた位置ＯＳから閉じた位置ＧＳに移動させた場合、蓋４３により、停止位置ＲＳの方に押されて、それによって、一方では、受け皿４の方向に畳まれるとともに、他方では、側壁部３８及び３９は、内側に折り畳まれることとなる。
【００２８】
蓋４３は、相応に旋回可能な形で、隣接する内装部分４４上に蝶番で留めることができる。更に、蓋４３は、専ら受け皿４から取り外して、再び取り付けることが可能である、即ち、固く固定した部分を持たなくすることも考えられる。これに代わって、蓋４３を相応に蝶番で留める際、特に、それを受け皿４に蝶番で留める際に、零れ防止カバー１７を蓋の内側４５に固定可能として、その結果折り畳み部分３６を下方の周縁部分１３の方向に開くようにすることも考えられる。
【００２９】
図３と４に図示した通り、サービスユニット１は、駆動機器用の集合体空間、特にエンジン室４７を車両室内４８、特にトランクから分離する車体壁面４６に組み込まれる。車体壁面４６を、ほぼ垂直に立てることが可能であるとともに、サービスユニット１を、車両室内４８に組み込むことができる。サービスユニット１は、取付フレーム４９により車体壁面４６に固定される。この場合、サービスユニット又は受け皿４は、皿底部４に関して、垂直の又は傾斜した方向に向けて、取付フレーム４９に保持される。そのため、周縁部分１３は、皿周縁部１２の下方部分を形成することとなる。
【００３０】
図示していない実施例にもとづき、サービスユニット１を、ほぼ水平の方向に向けること、即ち、皿底部５を、ほぼ水平に延ばすことも考えられる。有利には、その実施例に関して、零れ防止カバー１７は、保護位置ＳＴにおいて、漏斗形状で実現することができる。そのために、皿壁面８は、二つの零れ防止カバー１７を備えて、零れ防止カバーが、保護位置ＳＴにおいて、皿壁面８に沿って周りを取り囲むようにすることができる。
【００３１】
また、図４から、零れ防止カバー１７の折り畳み部分３６が、停止位置ＲＳにおいて、受け皿と蓋４３とによって区切られた、サービスユニット１の空間内に有ることが分かる。蓋４３の構成に応じて、折り畳み部分３６は、少なくとも部分的に受け皿４内にまで畳むことができる。
【図面の簡単な説明】
【００３２】
【図１】零れ防止カバーを備えたサービスユニットの平面図
【図２】零れ防止カバーの斜視図
【図３】零れ防止カバーが保護位置に有る状態のサービスユニットの図１のIII-III 線に沿った断面図
【図４】零れ防止カバーが停止位置に有り、蓋がサービスユニットを覆った状態のサービスユニットの断面図
【符号の説明】
【００３３】
１    サービスユニット
２，３    充填ソケット
４    受け皿
５    皿底部
６    排出口
７    遷移領域
８    皿壁面
９    内側周縁部の輪郭
１０    閉鎖キャップ
１１    壁面端部
１２    皿周縁部
１３    下方の周縁部分
１４    上方の周縁部分
１５，１６    側方周縁部分
１７    零れ防止カバー
１８    固定部分
１９    底部
２０，２１    アーム部
２２    連結手段
２３，２４    固定部品
２５    後方把持部品
２６    穴
２７    受け皿４の外側
２８    きのこ状ピボット
２９    きのこ状ピボット２８の脚部
３０    きのこ状頭部
３１    フレーム
３２    フレーム脚部
３３    フレーム頭部
３４    嵌合部分
３５    ポケット
３６    折り畳み部分
３７    基礎部
３８，３９    側壁部
４０    折り線
４１，４２    部分壁面
４３    蓋
４４    内装部分
４５    蓋４３の内側
４６    車体壁面
４７    エンジン室
４８    車両室内
４９    取付フレーム
ＧＳ    蓋４３の閉じた位置
ＯＳ    蓋４３の開いた位置
ＲＳ    零れ防止カバー１７の停止位置
ＳＴ    零れ防止カバー１７の保護位置
III-III   断面線    
【図１】
2006315672.tif 000003
【図２】
2006315672.tif 000004
【図３】
2006315672.tif 000005
【図４】
2006315672.tif 000006